(57)【要約】【課題】タッチパネル周辺に異物が挟まり、常時タッチパネルが押された異常状態になった場合でも、タッチパネルの誤検知がなく、正しく操作を継続できる、表示入力装置及びこれを備えた電子機器を提供する。【解決手段】画像を表示する表示部５０と、表示部５０に対して設けられ、ユーザーがタッチしている座標を検出するためのタッチパネル６０とを備えた表示入力装置４０であって、タッチパネル６０の同じ座標が常時押されている異常状態を検出した後、前記座標以外の座標が一定時間以上検出された場合に、タッチパネル６０の選択ボタンの表示を通常モードよりも大きく表示するか、もしくは選択ボタンの表示間隔を通常モードよりも広げる補正モードに切り替える切替手段９２と、切替手段９２による補正モードの切り替えとともに、検出座標を補正する座標補正手段９３とを備える。【選択図】図２
2016045611.tif 000002
【特許請求の範囲】
【請求項１】
画像を表示する表示部と、
前記表示部に対して設けられ、ユーザーがタッチしている座標を検出するためのタッチパネルとを備えた表示入力装置であって、
タッチパネルの同じ座標が常時押されている異常状態を検出した後、前記座標以外の座標が一定時間以上検出された場合に、タッチパネルの選択ボタンの表示を通常モードよりも大きく表示するか、もしくは選択ボタンの表示間隔を通常モードよりも広げる補正モードに切り替える切替手段と、
前記切替手段による補正モードの切り替えとともに、検出座標を補正する座標補正手段と、
を備えることを特徴とする表示入力装置。
【請求項２】
請求項１に記載の表示入力装置において、
前記座標補正手段は、異常座標を（Ｘ１，Ｙ１）、現在の検出座標を（Ｘ２，Ｙ２）、補正後の座標を（Ｘ，Ｙ）とすると、下記の式により補正を行うことを特徴とする表示入力装置。
Ｘ１＞Ｘ２のとき  Ｘ＝Ｘ１−（Ｘ１−Ｘ２）×２
Ｘ１≦Ｘ２のとき  Ｘ＝Ｘ１＋（Ｘ２−Ｘ１）×２
Ｙ１＞Ｙ２のとき  Ｙ＝Ｙ１−（Ｙ１−Ｙ２）×２
Ｙ１≦Ｙ２のとき  Ｙ＝Ｙ１＋（Ｙ２−Ｙ１）×２
【請求項３】
請求項１または２に記載の表示入力装置において、
前記異常座標を検出した場合、ユーザーにタッチパネルの異常状態を知らせることを特徴とする表示入力装置。
【請求項４】
請求項１〜３のいずれか一項に記載の表示入力装置を備えることを特徴とする電子機器。
【発明の詳細な説明】
【技術分野】
【０００１】
本発明は、表示入力装置及びこれを備えた電子機器に関する。
【背景技術】
【０００２】
例えば、使用者は、所望する設定でジョブが実行されるように、画像形成装置の表示入力装置（例えば、操作パネル）に対し各種設定の入力を行う。そして、表示入力装置にはタッチパネルが設けられることがある。タッチパネルを備えた表示入力装置は、設定画面を表示し、タッチパネルを用いて使用者のタッチにより押された座標を認識し、入力を受け付ける。
【０００３】
ここで、タッチパネルと筐体との間に異物（例えば、原稿から取り除いたステープルの針や、クリップ）が混入するなどの原因で、電源の起動時からタッチパネルの同じ座標が常時押されたままの異常状態となることがある。
【０００４】
そこで、特許文献１の技術では、タッチパネルの外周部に接触操作が無効となる領域を設け、異物の噛み込み等により誤操作しないようにしている。
【先行技術文献】
【特許文献】
【０００５】
【特許文献１】特開２０１０−２７７１１９号公報
【発明の概要】
【発明が解決しようとする課題】
【０００６】
特許文献１の技術では、異物が挟まった異常時も通常時と同じ操作ボタンや検知領域を使用しているが、入力座標の補正時には分解能が１／２になるため、入力座標の補正を行っても、誤操作が発生する問題を解消できない。
【０００７】
本発明は、タッチパネル周辺に異物が挟まり、常時タッチパネルが押された異常状態になった場合でも、タッチパネルの誤検知がなく、正しく操作を継続できる、表示入力装置及びこれを備えた電子機器を提供することを目的とする。
【課題を解決するための手段】
【０００８】
本発明は、画像を表示する表示部と、前記表示部に対して設けられ、ユーザーがタッチしている座標を検出するためのタッチパネルとを備えた表示入力装置であって、タッチパネルの同じ座標が常時押されている異常状態を検出した後、前記座標以外の座標が一定時間以上検出された場合に、タッチパネルの選択ボタンの表示を通常モードよりも大きく表示するか、もしくは選択ボタンの表示間隔を通常モードよりも広げる補正モードに切り替える切替手段と、前記切替手段による補正モードの切り替えとともに、検出座標を補正する座標補正手段と、を備えることを特徴とする表示入力装置に関する。
【０００９】
また、本発明は、前記表示入力装置を備えることを特徴とする電子機器に関する。
【発明の効果】
【００１０】
本発明によれば、タッチパネル周辺に異物が挟まり、常時タッチパネルが押された異常状態になった場合でも、分解能の低下によるタッチパネルの誤検知がなく、正しく操作を継続することができる。
【図面の簡単な説明】
【００１１】
【図１】本発明の実施形態におけるプリンターの全体構成を説明するための図である。
【図２】プリンターの機能的な構成を示すブロック図である。
【図３】通常モードの表示画面を示す図である。
【図４】補正モードの表示画面を示す図である。
【図５】別の補正モードの表示画面を示す図である。
【図６】表示画面の座標情報を示す図である。
【図７】座標の補正例を示す図である。
【図８】座標の補正例を示す別の図である。
【図９】本発明の一実施形態に係る表示画面での座標補正の流れの一例を示すフローチャートである。
【発明を実施するための形態】
【００１２】
以下、図面を参照して、本発明に係る表示入力装置を備えたプリンターの実施形態について説明する。まず、プリンター１の全体構成について説明する。
図１は、本実施形態におけるプリンター１の全体構成を説明するための図である。
【００１３】
プリンター１は、用紙搬送部１０と、画像形成部２０と、定着部３０と、を備える。
用紙搬送部１０は、第１送りローラー１１と、第２送りローラー１２と、レジストローラー対１３と、第１ローラー対１４と、第２ローラー対１５と、用紙排出部１６と、を備える。また、用紙Ｔが搬送される搬送路Ｌは、第１送りローラー１１又は第２送りローラー１２から画像形成部２０（後述する転写ニップＮ）までの第１搬送路Ｌ１と、画像形成部２０（後述する転写ニップＮ）から定着部３０までの第２搬送路Ｌ２と、定着部３０から用紙排出部１６までの第３搬送路Ｌ３と、定着部３０から排出された用紙Ｔをレジストローラー対１３に戻す第４搬送路Ｌ４と、を備える。
【００１４】
第１送りローラー１１は、給紙カセット１７に収容される用紙Ｔ（被転写材）を第１搬送路Ｌ１に供給する。第２送りローラー１２は、手差トレイ１８に載置される用紙Ｔ（被転写材）を第１搬送路Ｌ１に供給する。レジストローラー対１３は、第１搬送路Ｌ１を搬送されてきた用紙Ｔを感光体ドラム２１と転写ローラー２８との間に形成される転写ニップＮに供給して、感光体ドラム２１に形成されたトナー画像を用紙Ｔに転写させるために、用紙Ｔの搬送又は用紙Ｔの搬送停止を行う。
【００１５】
また、レジストローラー対１３は、用紙Ｔのスキュー（斜め給紙）補正を行う。第１ローラー対１４は、第３搬送路Ｌ３に設けられ、定着部３０から排出された用紙Ｔを用紙排出部１６側に搬送する。第２ローラー対１５は、第１ローラー対１４により用紙排出部１６側に搬送された用紙Ｔを第４搬送路Ｌ４に搬入させる。用紙排出部１６は、トナー画像が定着された用紙Ｔをプリンター１の外部に排出する。用紙排出部１６におけるプリンター１の外側には、排紙集積部１９が形成される。排紙集積部１９には、用紙排出部１６から排出された用紙Ｔが積層して集積される。
【００１６】
画像形成部２０は、トナー画像を形成するためのものであり、感光体ドラム２１と、帯電部２２と、レーザースキャナーユニット２３と、現像器２４と、除電器２５と、クリーニング部２６と、トナーカートリッジ２７と、転写ローラー２８と、を備える。
【００１７】
感光体ドラム２１は、トナー画像を形成するために、感光体又は像担持体として機能する。感光体ドラム２１の周囲には、感光体ドラム２１の回転方向に沿って上流側から下流側へ順に、帯電部２２と、レーザースキャナーユニット２３と、現像器２４と、クリーニング部２６とが配置される。帯電部２２は、感光体ドラム２１の表面を帯電させる。レーザースキャナーユニット２３は、感光体ドラム２１の表面から離れて配置され、外部に配置される外部機器（例えば、パーソナルコンピュータ等）により送信された画像データに基づいて感光体ドラム２１の表面を走査露光する。これにより、感光体ドラム２１の表面には、露光された部分の電荷が除去されて静電潜像が形成される。
【００１８】
現像器２４は、感光体ドラム２１の表面に形成された静電潜像にトナーを付着させてトナー画像を形成する。除電器２５は、感光体の表面に光を照射することにより、転写が行われた後の感光体ドラム２１の表面を除電する（電荷を除去する）。クリーニング部２６は、除電器２５によって感光体ドラム２１の表面が除電された後のその表面に残るトナー等を除去する。
【００１９】
トナーカートリッジ２７は、現像器２４に供給されるトナーを収容する。トナーカートリッジ２７と現像器２４とは、トナー供給路（図示せず）により接続されている。転写ローラー２８は、感光体ドラム２１との間に用紙Ｔを挟み込むことにより、感光体ドラム２１の表面に形成されたトナー画像を用紙Ｔに転写させる。
【００２０】
定着部３０は、加熱回転体３１と、加圧回転体３２と、を備える。加熱回転体３１と加圧回転体３２とは、トナー画像が転写された用紙Ｔを挟み込んで、トナーを溶融及び加圧し、そのトナーを用紙Ｔに定着させる。
【００２１】
次に、プリンター１の機能的な構成について説明する。図２は、プリンター１の機能的な構成を示すブロック図である。
【００２２】
図２に示すように、プリンター１は、上述した構成要素（用紙搬送部１０、画像形成部２０及び定着部３０）を備える。また、プリンター１は、上述した構成要素に加えて、操作パネル部４０と、通信部７０と、記憶部８０と、制御部９０と、を備える。なお、図１を用いて説明した構成要素については、その説明を省略する。
【００２３】
操作パネル部４０（表示入力装置に相当）は、表示部５０と、タッチパネル６０と、を備える。
【００２４】
表示部５０は、表示画面１００（後述）を有する液晶表示パネルにより構成される。図３に示すように、表示画面１００には、プリンター１を操作するための複数の選択ボタン１０１（例えば、印刷開始ボタン、拡大縮小設定ボタン、画質設定ボタン、用紙選択ボタン、両面／分割設定ボタン、ステープル設定ボタン、及びソート設定ボタンなど）が表示される。なお、図３において、各種選択ボタン１０１は、便宜上、Ａ，Ｂ，Ｃ，Ｄ，Ｅ，Ｆで表示している。図３は、通常モードの表示画面１００を示す。
【００２５】
タッチパネル６０は、ユーザーにより操作（指による押圧又は接触）される透明な入力装置である。タッチパネル６０は、表示部５０の上（ユーザー側）に配置される。表示部５０の表示画面１００（図３参照）に印刷開始ボタンなどが表示された状態で、ユーザーがタッチパネル６０越しに選択ボタン１０１を操作すると、操作された選択ボタン１０１の位置がタッチパネル６０の座標情報（後述）として検出され、制御部９０に送信される。
【００２６】
通信部７０は、プリンター１の外部に設置された外部機器（例えば、パーソナルコンピュータ等）に接続される。
記憶部８０は、ハードディスクや半導体メモリー等から構成される。記憶部８０は、上述した外部機器から供給された画像データを記憶する。また、記憶部８０は、プリンター１において利用される制御プログラム、及びこの制御プログラムによって利用されるデータ等を記憶する。
【００２７】
制御部９０は、用紙搬送部１０、画像形成部２０、定着部３０及び表示部５０等を制御する。
【００２８】
ここで、用紙Ｔの片面のみにトナー画像を形成する場合を示して、制御部９０の機能（動作）の一例を説明する。まず、制御部９０は、通信部７０を介して上記の外部機器から入力された画像データを記憶部８０に一時記憶させる。制御部９０は、記憶部８０に一時記憶された画像データに基づいて用紙Ｔにトナー画像を形成するために、用紙搬送部１０と、画像形成部２０と、定着部３０とをそれぞれ制御する。すなわち、制御部９０は、第１送りローラー１１又は第２送りローラー１２を駆動させて、用紙Ｔを画像形成部２０に搬送させる。
【００２９】
また、制御部９０は、画像データに基づいて生成されたトナー画像を形成するためのデータをレーザースキャナーユニット２３に供給し、レーザースキャナーユニット２３から照射されるレーザー光により感光体ドラム２１に静電潜像を形成させる。制御部９０は、現像器２４より感光体ドラム２１にトナー画像を形成させ、このトナー画像を転写ローラー２８によって用紙Ｔに転写させる。制御部９０は、加熱回転体３１が所定の温度に加熱されるよう制御して、その加熱回転体３１により用紙Ｔに転写されたトナー画像のトナーを溶融させると共に、加熱回転体３１に圧接される加圧回転体３２によりトナーを用紙Ｔに定着させる。更に、制御部９０は、トナー画像が定着された用紙Ｔを用紙搬送部１０により用紙排出部１６から排出させる。
【００３０】
また、制御部９０は、表示制御部９１と、補正モード切替部９２と、座標補正部９３と、を備える。
【００３１】
補正モード切替部９２は、タッチパネル６０越しに表示画面１００の同じ座標が常時押されている異常状態を検出した後、前記座標以外の座標が一定時間以上検出された場合に、補正モードに切り替える（図４、図５参照）。図４は、通常モードの表示画面１００の選択ボタン１０１（図３参照）よりも、選択ボタン１０１ａを大きく表示した補正モードを示す。なお、選択ボタン１０１が１画面（図４（ａ）参照）で収まらない場合は、図４（ｂ）に示すように、２画面目に表示する。図５は、表示画面１００の選択ボタン１０１の表示間隔を、通常モード（図３参照）よりも広げた別の補正モードを示す。
【００３２】
座標補正部９３は、補正モード切替部９２による補正モードの切り替えとともに検出座標を補正する。
【００３３】
表示制御部９１は、補正モード切替部９２による補正モードの切り替えおよび座標補正部９３による検出座標の補正を制御する。表示制御部９１は、例えば、座標が押されてから次の座標が押されるまでの時間を測定する。
【００３４】
ここで、タッチパネル６０で検出される座標情報について説明する。図６に示すように、ユーザーがタッチパネル６０越しに表示画面１００のボタンを操作すると、操作されたボタンの位置に対応する座標情報（Ｘ，Ｙ）が検出される。４線式の抵抗膜方式のタッチパネルでは、２点押した場合、その中点が検出されるため、下記の式により、入力座標の補正を行う。異物が挟まっていると検出された座標を（Ｘ１，Ｙ１）、現在の検出座標を（Ｘ２，Ｙ２）、補正後の座標を（Ｘ，Ｙ）とすると、下記の式により補正を行う。
Ｘ１＞Ｘ２のとき  Ｘ＝Ｘ１−（Ｘ１−Ｘ２）×２
Ｘ１≦Ｘ２のとき  Ｘ＝Ｘ１＋（Ｘ２−Ｘ１）×２
Ｙ１＞Ｙ２のとき  Ｙ＝Ｙ１−（Ｙ１−Ｙ２）×２
Ｙ１≦Ｙ２のとき  Ｙ＝Ｙ１＋（Ｙ２−Ｙ１）×２
【００３５】
以下、タッチパネル越しの表示画面１００の座標の具体的な補正例を、図７および図８に示す。
１．Ｘ１＞Ｘ２、Ｙ１＞Ｙ２の場合（図７（ａ）参照）
（Ｘ１，Ｙ１）＝（２５５，２００）、（Ｘ２，Ｙ２）＝（２００，１２０）の場合
（Ｘ，Ｙ）＝（１４５，４０）
【００３６】
２．Ｘ１≦Ｘ２、Ｙ１＞Ｙ２（図７（ｂ）参照）
（Ｘ１，Ｙ１）＝（０，２００）、（Ｘ２，Ｙ２）＝（１００，１２０）の場合
（Ｘ，Ｙ）＝（２００，４０）
【００３７】
３．Ｘ１＞Ｘ２、Ｙ１≦Ｙ２（図８（ａ）参照）
（Ｘ１，Ｙ１）＝（２５５，２０）、（Ｘ２，Ｙ２）＝（２００，１００）の場合
（Ｘ，Ｙ）＝（１４５，１８０）
【００３８】
４．Ｘ１≦Ｘ２、Ｙ１≦Ｙ２（図８（ｂ）参照）
（Ｘ１，Ｙ１）＝（０，２０）、（Ｘ２，Ｙ２）＝（１００，１００）の場合
（Ｘ，Ｙ）＝（２００，１８０）
【００３９】
次に、図９に基づき、本実施形態の表示画面１００での座標補正の流れを説明する。図９は、表示画面１００での座標補正の流れの一例を示すフローチャートである。
【００４０】
まず、プリンター１の電源を起動すると（ステップＳ１）、タッチパネルが押されているかを確認する（ステップＳ２）。タッチパネルが押されていなければ、ステップＳ３に進み、タッチパネルが正常と判断し、通常モード（図３参照）にする。
【００４１】
タッチパネルが押されていれば、ステップＳ４に進み、タッチパネルの同じ座標が一定時間以上押され続けられているかを確認する。例えば、表示制御部９１は、座標が押されてから次の座標が押されるまでの時間を測定する。なお、タッチパネルの同じ座標が押されていても、一定時間より短ければ、フローはステップＳ２に戻る。
【００４２】
タッチパネルの同じ座標が一定時間以上押され続けられていれば、その座標に異物が挟まっていると判断し、ユーザーにタッチパネルの異常状態を知らせる。異物が挟まっていると検出された後、異物が挟まっている座標以外の座標が検出された場合、ユーザーがタッチパネルを操作したと判断し、ステップＳ５に進み、表示画面の表示をタッチパネル座標の補正モードに切り替える。例えば、図４に示したように、タッチパネルの選択ボタン１０１ａの表示を通常モード（図３参照）より大きくするか、もしくは、図５に示したように、選択ボタン１０１の表示間隔を通常モード（図３参照）よりも広げる。
【００４３】
続いて、ステップＳ６に進み、タッチパネルの検出（入力）座標の補正を開始する。４線式の抵抗膜方式のタッチパネルでは、２点押した場合、その中点が検出されるため、下記の式により、入力座標の補正を行う。異物が挟まっていると検出された座標を（Ｘ１，Ｙ１）、現在の検出座標を（Ｘ２，Ｙ２）、補正後の座標を（Ｘ，Ｙ）とすると、下記の式により補正を行う。
Ｘ１＞Ｘ２のとき  Ｘ＝Ｘ１−（Ｘ１−Ｘ２）×２
Ｘ１≦Ｘ２のとき  Ｘ＝Ｘ１＋（Ｘ２−Ｘ１）×２
Ｙ１＞Ｙ２のとき  Ｙ＝Ｙ１−（Ｙ１−Ｙ２）×２
Ｙ１≦Ｙ２のとき  Ｙ＝Ｙ１＋（Ｙ２−Ｙ１）×２
【００４４】
入力座標の補正を行うと、Ｘ，Ｙ方向で座標を２倍に拡大することになり、タッチパネルの分解能が悪くなる。本実施形態では、分解能の低下による誤検知を防ぐため、図４に示したように、タッチパネルの選択ボタン１０１ａの表示を通常モード（図３参照）より大きくするか、もしくは、図５に示したように、選択ボタン１０１の表示間隔を通常モード（図３参照）よりも広げる補正モードに切り替える。そのため、タッチパネル周辺に異物が挟まり、常時タッチパネルが押された異常状態になった場合でも、分解能の低下によるタッチパネルの誤検知がなく、正しく操作を継続することができる。
【００４５】
本発明の実施形態を説明したが、本発明の範囲はこれに限定されるものではなく、発明の主旨を逸脱しない範囲で種々の変更を加えて実施することができる。
【産業上の利用可能性】
【００４６】
本発明は、表示入力装置や、表示入力装置を備えた、画像形成装置、携帯電話、スマートフォン、タブレット等の電子機器に利用可能である。
【符号の説明】
【００４７】
１  プリンター
４０  操作パネル部（表示入力装置）
５０  表示部
６０  タッチパネル
９２  補正モード切替部
９３  座標補正部
１００  表示画面
１０１  選択ボタン
【図１】
2016045611.tif 000003
【図２】
2016045611.tif 000004
【図３】
2016045611.tif 000005
【図４】
2016045611.tif 000006
【図５】
2016045611.tif 000007
【図６】
2016045611.tif 000008
【図７】
2016045611.tif 000009
【図８】
2016045611.tif 000010
【図９】
2016045611.tif 000011